(57)【要約】  【課題】チップ部品の電極を利用して短絡パターンとして実行することにより、短絡部品として部品点数、取付スペースが増すことがなく、安価な回路装置を提供する。【解決手段】回路ブロック４の一方側パッド７及び他方側パッド８にチップ部品たるチップ抵抗器１３の一対の電極１３ａ及び１３ｂがそれぞれ接続される通常パターンと、前記回路ブロック４を短絡する短絡回路を形成する第１の一方側パッド９ａ、他方側パッド９ｂ間及び第２の一方側パッド１０ａ、他方側パッド１０ｂ間がチップ抵抗器１３の電極１３ａ及び１３ｂで短絡される短絡パターンとが選択される。【選択図】図１
2010157549.tif 000002
【特許請求の範囲】
【請求項１】
電気的な回路中に、その回路を分断するように一方側パッドと他方側パッドとが設けられ、
その一方側パッドと他方側パッドとにチップ部品の一対の電極がそれぞれ接続される通常パターンと、前記一方側パッドと他方側パッドとがチップ部品の電極で短絡される短絡パターンとが選択されるようにしたことを特徴とするチップ部品を用いた回路装置。
【請求項２】
一方側パッドと他方側パッドとは、並列接続された第１及び第２の一方側パッドと第１及び第２の他方側パッドとから構成され、
チップ部品は、通常パターンでは、一方の電極が第１の一方側パッド及び第１の他方側パッドに接続されているとともに他方の電極が第２の一方側パッド及び第２の他方側パッドに接続されていることを特徴とする請求項１記載のチップ部品を用いた回路装置。
【請求項３】
短絡パターンは、任意の回路ブロックの不使用時に該回路ブロックを短絡する構成であることを特徴とする請求項１又は２記載のチップ部品を用いた回路装置。
【請求項４】
チップ部品は、回路ブロックの使用時には、該回路ブロックに実装されるように構成されていることを特徴とする請求項３記載のチップ部品を用いた回路装置。
【請求項５】
チップ部品は、一方の電極が第１の回路に設けられた一方側パッドと他方側パッドとの間を接続し、他方の電極が第２の回路に設けられた一方側パッドと他方側パッドとを接続する構成であることを特徴とする請求項１記載のチップ部品を用いた回路装置。
【請求項６】
チップ部品としてチップ抵抗器を用いることを特徴とする請求項１乃至５のいずれかに記載のチップ部品を用いた回路装置。
【請求項７】
チップ部品としてチップコンデンサを用いることを特徴とする請求項１乃至５のいずれかに記載のチップ部品を用いた回路装置。
【発明の詳細な説明】
【技術分野】
【０００１】
本発明は、チップ部品を用いた回路装置に関する。
【背景技術】
【０００２】
従来より、回路装置においては、任意の回路ブロックを使用する仕様と使用しない仕様とを選択する場合がある。この場合、回路ブロックを有する回路基板と有しない回路基板の二種類を製作することは不経済であることから、回路ブロックとこの回路ブロックを短絡する短絡回路とを有する回路基板を製作して、回路ブロックを短絡回路により短絡するか否かの選択を行なうようにしている（特許文献１参照）。
【特許文献１】特開平５−２１６９６０号公報
【発明の開示】
【発明が解決しようとする課題】
【０００３】
回路ブロックの短絡回路を形成するには、その短絡回路の一方側パッドと他方側パッドとの間を短絡部品で接続する必要がある。この場合、短絡部品としては、例えば、大量生産されて安価な零オーム（０Ω）抵抗のチップ抵抗器が用いられる。ところが、チップ部品たるチップ抵抗器は、零オーム抵抗とはいっても、実際には数ｍΩ〜数１０ｍΩの抵抗値を有するので、電力損失が生じるようになり、従って、多くの電流を流すためには、複数のチップ抵抗器を並列にして用いなければならず、部品点数、取付スペースが増す。
【０００４】
このような問題を解決するためには、短絡部品として、大電流を流すことができる銅板製の短絡バーを用いればよいが、このような短絡バーは、材料費が嵩み、しかも、特注品になるので、高価になる不具合がある。
【０００５】
本発明は上記事情に鑑みてなされたもので、その目的は、チップ部品の電極を利用して短絡パターンとして実行することにより、短絡部品として部品点数、取付スペースが増すことがなく、安価なチップ部品を用いた回路装置を提供することある。
【課題を解決するための手段】
【０００６】
本発明のチップ部品を用いた回路装置は、電気的な回路中に、その回路を分断するように一方側パッドと他方側パッドとが設けられ、その一方側パッドと他方側パッドとにチップ部品の一対の電極がそれぞれ接続される通常パターンと、前記一方側パッドと他方側パッドとがチップ部品の電極で短絡される短絡パターンとが選択されるようにしたことを特徴とする。
【発明の効果】
【０００７】
本発明のチップ部品を用いた回路装置によれば、一方側パッドと他方側パッドとにチップ部品の一対の電極がそれぞれ接続される通常パターンの場合には、チップ部品を本来の機能部品として用い、前記一方側パッドと他方側パッドとがチップ部品の電極で短絡される短絡パターンの場合には、チップ部品を短絡部品として用いるので、短絡部品として部品点数、取付スペースが増すことがなく、安価であるという効果を奏する。
【発明を実施するための最良の形態】
【０００８】
以下、本発明の第１の実施例につき、図１乃至図３を参照して説明する。
回路装置としてのインバータ１は、回路基板に構成されており、電源側配線２と負荷側配線３との間に回路ブロック４を有する。回路ブロック４は、分断された回路を形成する配線パターン５及び６と、配線パターン５に接続された一方側パッド７と、配線パターン６に接続された他方側パッド８とを備えている。
【０００９】
インバータ１は、回路ブロック４の外側に位置して、第１の一方側パッド９ａ及び第１の他方側パッド９ｂと、第２の一方側パッド１０ａ及び第２の他方側パッド１０ｂとを備えている。そして、第１の一方側パッド９ａ及び第２の一方側パッド１０ａは、分断された回路を形成する電源側配線１１を介して電源側配線２に接続され、第１の他方側パッド９ｂ及び第２の他方側パッド１０ｂは、分断された回路を形成する負荷側配線１２を介して負荷側配線３に接続されている。
【００１０】
チップ部品たるチップ抵抗器１３は、一対の電極１３ａ、１３ｂ間に抵抗体を構成した表面実装形の抵抗器であり、本実施例では、図１（ａ）に示す通常パターンと図１（ｂ）に示す短絡パターンとの使用状態が選択される。
図１（ａ）に示す通常パターンの使用状態では、チップ抵抗器１３は、一方の電極１３ａが一方側パッド７に接続され、他方の電極１３ｂが他方側パッド８に接続されるように実装される。そして、回路ブロック４において、配線パターン５、６には、図示はいないが、コンデンサ、インダクタなどの電子部品が接続実装され、以って、一段目のノイズフィルタ１４が構成される。従って、この場合には、チップ抵抗器１３は、配線パターン５、６間に接続されて本来の機能部品としての抵抗器として機能する。
【００１１】
なお、図１に示すインバータ１においては、回路ブロック４の後段に、ノイズフィルタ１４と同様の構成の二段目のノイズフィルタ（図示せず）が構成されている。これにより、図１（ａ）に示す通常パターンの使用状態では、一段目のノイズフィルタ１４と二段目のノイズフィルタとで高精度仕様のノイズフィルタが構成される。
【００１２】
図１（ｂ）に示す短絡パターンの使用状態では、チップ抵抗器１３は、一方の電極１３ａが第１の一方側パッド９ａ及び第１の他方側パッド９ｂに接続され、他方の電極１３ｂが第２の一方側パッド１０ａ及び第２の他方側パッド１０ｂに接続されるように実装される。そして、回路ブロック４において、一方側パッド７と他方側パッド８とにはチップ抵抗器１３は接続実装されず、また、配線パターン５、６にもコンデンサ、インダクタなどの電子部品は接続実装されない。
【００１３】
これにより、図１（ｂ）に示す短絡パターンの使用状態では、回路ブロック４にはノイズフィルタ１４は構成されず、しかも、回路ブロック４は、チップ抵抗器１３の電極１３ａ、１３ｂにより短絡回路が形成される。従って、この場合には、チップ抵抗器１３は、回路ブロック４を短絡する短絡部品として機能する。なお、図１（ｂ）に示す短絡パターンの使用状態では、二段目のノイズフィルタのみが用いられ、通常精度仕様のノイズフィルタになる。
【００１４】
ここで、図２は、本実施例において、チップ抵抗器１３として３２１６サイズのチップ抵抗器を用いた場合の各パッドの具体的数値例を示す図である。通常パターンでは、図２（ａ）に示すように、一方側パッド７及び他方側パッド８の横寸法Ｃ及び縦寸法Ｄは、Ｃ＝１．４（ｍｍ）、Ｄ＝０．９（ｍｍ）に設定され、パッド７、８間の間隔寸法Ａは、Ａ＝２．２（ｍｍ）に設定され、従って、パッド７、８間の全体の縦寸法Ｂは、Ｂ＝４．０（ｍｍ）に設定されるように、メーカ側が推奨している。
【００１５】
以上のような、前提条件の下において、本実施例の短絡パターンでは、図２（ｂ）に示すように、パッド９ａ、９ｂ及びパッド１０ａ、１０ｂは、パッド７及び８を左右に二分割した形態で、各横寸法Ｃ１は、Ｃ１＝０．５（ｍｍ）設定されているとともに、パッド９ａ、９ｂ間及びパッド１０ａ、１０ｂ間の間隔寸法Ｃ２は、Ｃ２＝０．４（ｍｍ）に設定されており、間隔寸法Ａ、縦寸法Ｂ及びＤは，図２（ａ）の通常パターン時と同じである。即ち、回路ブロック４を用いる図１（ａ）に示す通常パターンとして使用する場合のはんだ付け時に、パッド９ａ、９ｂ間及びパッド１０ａ、１０ｂ間がはんだで短絡（ブリッジ）されることを防止するために、パッド９ａ、９ｂ間及びパッド１０ａ、１０ｂ間の間に間隔寸法Ｃ２（例えば０．４（ｍｍ））が設けられている。なお、この間隔寸法Ｃ２は、パッド９a、９b及び１０a、１０ｂの形状と寸法によって決定され、本実施例の場合、通常０．４（ｍｍ）以上に設定すればよい。
【００１６】
この場合、図３に示す変形例のように、パッド９ａ、９ｂの対向する側の隅角部及びパッド１０ａ、１０ｂの対向する側の隅角部を切除して切欠部９c及び１０cを形成する構成とすれば、パッド９ａ、９ｂ間及びパッド１０ａ、１０ｂ間のはんだによる短絡（ブリッジ）の形成を一層防止することができる。
【００１７】
なお、図３に示すように、パッド９ａ、９ｂ及びパッド１０ａ、１０ｂに切欠部９c及び１０cを形成するように構成した場合には、パッド９ａ、９ｂ間及びパッド１０ａ、１０ｂ間の間隔寸法Ｃ２は、Ｃ２＝０．４（ｍｍ）以下の寸法、例えば、Ｃ２＝０．２（ｍｍ）以上に設定しても、はんだによる短絡（ブリッジ）の形成を充分に防止することができる。
【００１８】
本実施例においては、要は、通常パターンが選択された場合において、一方側パッド９ａ及び１０aと他方側パッド９ｂ及び１０ｂとの間にはんだブリッジが極力生じないように、パッド９ａ、９ｂ間及びパッド１０ａ、１０ｂ間の間隔寸法若しくはパッド９ａ、９ｂ及びパッド１０ａ、１０ｂの形状を設定すればよい。
【００１９】
このように本実施例によれば、回路ブロック４を使用する場合には、チップ抵抗器１３を回路ブロック４に実装して本来の抵抗器として使用し、回路ブロック４を使用しない場合には、チップ抵抗器１３を回路ブロック４を短絡する短絡部品として使用したので、一種類の回路基板で高精度仕様のノイズフィルタを搭載したものと通常精度仕様のノイズフィルタを搭載したものとに対処することができ、経済的である。
【００２０】
そして、チップ抵抗器１３を短絡部品として使用する場合には、回路ブロック４をチップ抵抗器１３の極めて抵抗値の小なる一対の電極１３ａ、１３ｂで短絡するようにしたので、１つのチップ抵抗器１３を用いるだけ電力損失なく大電流を流すことができ、従来に比し、短絡部品として部品点数、取付スペースが増すことがなく、特注品の短絡バーを用いる必要がなくて安価になし得る。特に、本実施例では、回路ブロック４をチップ抵抗器１３の一対の電極１３ａ、１３ｂを並列に接続して短絡するようにしたので、一層電力損失なく大電流を流すことができる。
【００２１】
図４は本発明の第２の実施例を示す。この図４において、電源側配線１５及び負荷側配線１６は、分断された第１の回路を形成し、電源側配線１７及び負荷側配線１８は、分断された第２の回路を形成するようになっている。電源側配線１５及び負荷側配線１６は、一方側パッド１９ａ及び他方側パッド１９ｂに接続され、電源側配線１７及び負荷側配線１８は、一方側パッド２０ａ及び他方側パッド２０ｂに接続されている。
【００２２】
そして、一方側パッド１９ａ及び他方側パッド１９ｂは、チップ部品たるチップ抵抗器２１の一方の電極２１ａにより接続され、一方側パッド２０ａ及び他方側パッド２０ｂは、チップ抵抗器２１の他方の電極２１ｂにより接続されている。これにより、電源側配線１５、電極２１ａ及び負荷側配線１６は、図示しない第１の回路ブロックを短絡する第１の回路を形成し、電源側配線１７、電極２１ｂ及び負荷側配線１８は、図示しない第２の回路ブロックを短絡する第２の回路を形成する。この場合、第１の回路と第２の回路との間での電流の授受の影響がないように設計される。例えば、チップ抵抗器２１の抵抗値は極めて大に設定される。
【００２３】
なお、この第２の実施例においては、チップ抵抗器２１として３２１６サイズのチップ抵抗器を用いた場合には、各パッド１９ａ、１９ｂ及び２０a、２０ｂの具体的数値或いは形状は、図２（ｂ）或いは図３に示すように設定される。
このような第２の実施例によれば、一つのチップ抵抗器２１により第１及び第２の回路（短絡回路）を構成できるので、合理的な回路構成とすることができる。
【００２４】
なお、本発明は、上記し且つ図面に示す実施例に限定されるものではなく、次のような変形、拡張が可能である。
上記実施例では、回路装置としてインバータを例示したが、これに限らず、回路装置全般に適用できる。
上記実施例では、回路ブロックにノイズフィルタを構成するようにしたが、その他の回路であってもよい。
【００２５】
上記実施例では、回路ブロックに実装されるチップ抵抗器と短絡回路に実装されるチップ抵抗器とは同一のものとしたが、異なるものであってもよい。
上記実施例では、チップ抵抗器を用いて説明したが、これに限らずチップコンデンサなど同一形状のチップ部品であれば、同一の効果を得ることができる。
【図面の簡単な説明】
【００２６】
【図１】本発明の第１の実施例を示す回路図
【図２】パッドの具体的数値例を示す図
【図３】パッドの変形例を示す図
【図４】本発明の第２の実施例を示す回路図
【符号の説明】
【００２７】
図面中、１はインバータ（回路装置）、４は回路ブロック、５及び６は配線パターン、７は一方側パッド、８は他方側パッド、９ａ及び９ｂは第１の一方側及び他方側パッド、１０ａ及び１０ｂは第２の一方側及び他方側パッド、１３はチップ抵抗器（チップ部品）、１３ａ及び１３ｂは電極、１９ａ及び１９ｂは一方側及び他方側パッド、２０ａ及び２０ｂは一方側及び他方側パッド、２１はチップ抵抗器（チップ部品）、２１ａ及び２１ｂは電極を示す。
【図１】
2010157549.tif 000003
【図２】
2010157549.tif 000004
【図３】
2010157549.tif 000005
【図４】
2010157549.tif 000006